(57)【要約】【課題】パワーを大きくしても天井などの高い箇所の掃除が楽に行える電気掃除機を提供する。【解決手段】底面に吸込開口を有する吸込室を形成した吸込口体２１と、集塵室と電動送風機とを有するとともに吸込口体２１の上に設けられた掃除機本体３０と、この掃除機本体３０に着脱可能に装着され且つ一端部に把手部４１を有する操作パイプ４０と、この操作パイプ４０の一端部に一端が接続され他端が掃除機本体３０に接続されるとともにその操作パイプ４０と前記集塵室とを連通する集塵ホース３５とを備え、操作パイプ４０が掃除機本体３０に装着された際に、その操作パイプ４０の他端部が前記吸込室に連通される電気掃除機２０であって、掃除機本体３０に装着された操作パイプ４０の一端より上方に把手部５２を有する操作ハンドル５０を掃除機本体３０に設けた。【選択図】図２
2007130169.tif 000002
【特許請求の範囲】
【請求項１】
底面に吸込開口を有する吸込室を形成した吸込口体と、集塵室と電動送風機とを有するとともに前記吸込口体の上に設けられた掃除機本体と、この掃除機本体に着脱可能に装着され且つ一端部に把手部を有する伸縮自在の操作パイプと、この操作パイプの一端部に一端が接続され他端が前記掃除機本体に接続されるとともにその操作パイプと前記集塵室とを連通する集塵ホースとを備え、前記操作パイプが前記掃除機本体に装着された際に、その操作パイプの他端部が前記吸込室に連通される電気掃除機であって、
前記掃除機本体に装着された操作パイプの一端より上方に把手部を有する操作ハンドルを前記掃除機本体に設けたことを特徴とする電気掃除機。
【請求項２】
前記操作ハンドルに前記電動送風機の操作スイッチを設けたことを特徴とする請求項１に記載の電気掃除機。
【請求項３】
前記掃除機本体の上部にその掃除機本体の持ち運び用のハンドルを設けたことを特徴とする請求項１または請求項２に記載の電気掃除機。
【請求項４】
前記操作ハンドルは、回動または伸縮自在であることを特徴とする請求項１ないし請求項３のいずれか１つに記載の電気掃除機。
【発明の詳細な説明】
【技術分野】
【０００１】
この発明は、吸込口体の上に設けられた掃除機本体と、この掃除機本体に着脱可能に装着されるとともに上部に把手部を有する操作パイプ等を備えたいわゆるアップライト式の電気掃除機に関する。
【背景技術】
【０００２】
従来から、いわゆるアップライト式の電気掃除機が知られている（特許文献１参照）。
【０００３】
かかる電気掃除機は、底面に吸込開口を有する吸込室を形成した吸込口体と、この吸込口体の上に設けた掃除機本体と、この掃除機本体に着脱可能に取り付けたパイプからなるハンドルとを備え、このハンドルの上部には把手部が設けられ、ハンドルの上端には集塵ホースの一端が接続され、集塵ホースの一端は掃除機本体に接続されている。そして、集塵ホースと掃除機本体内の集塵室とが連通し、掃除機本体に装着されたハンドルの先端部は吸込口体の吸込室に連通している。
【０００４】
この電気掃除機によれば、ハンドルを掃除機本体から外し、そのハンドルの先端部を天井などに当てることができるので、高い箇所の掃除を行うことができる。
【特許文献１】特開２００５−１８５３４２号公報
【発明の開示】
【発明が解決しようとする課題】
【０００５】
しかしながら、このような電気掃除機にあっては、掃除機本体の上部に設けた把手部を手に持って掃除機本体を持ち上げていなければ、パイプの先端部を天井などに当てることができず、また、パワーが大きくなると掃除機本体が重くなることにより、天井などの高い箇所の掃除が非常に行い難くなるという問題があった。
【０００６】
この発明の目的は、パワーを大きくしても天井などの高い箇所の掃除が楽に行える電気掃除機を提供することにある。
【課題を解決するための手段】
【０００７】
請求項１の発明は、  底面に吸込開口を有する吸込室を形成した吸込口体と、集塵室と電動送風機とを有するとともに前記吸込口体の上に設けられた掃除機本体と、この掃除機本体に着脱可能に装着され且つ一端部に把手部を有する伸縮自在の操作パイプと、この操作パイプの一端部に一端が接続され他端が前記掃除機本体に接続されるとともにその操作パイプと前記集塵室とを連通する集塵ホースとを備え、前記操作パイプが前記掃除機本体に装着された際に、その操作パイプの他端部が前記吸込室に連通される電気掃除機であって、
前記掃除機本体に装着された操作パイプの一端より上方に把手部を有する操作ハンドルを前記掃除機本体に設けたことを特徴とする。
【発明の効果】
【０００８】
この発明によれば、掃除機本体に装着された操作パイプの一端より上方に把手部を有する操作ハンドルを掃除機本体に設けたものであるから、操作ハンドルの把手部を手で持っているだけで、掃除機本体を持ち上げなくても、操作パイプの他端を天井などの高い箇所に当てることができ、このため、パワーを大きくしても天井などの高い箇所の掃除は楽に行える。
【発明を実施するための最良の形態】
【０００９】
以下、この発明に係る電気掃除機の実施の形態を図面に基づいて説明する。
【実施例】
【００１０】
図１ないし図３に示すアップライト式の電気掃除機２０は、底面に図示しない吸込開口を有する吸込室（図示せず）を形成した吸込口体２１と、掃除機本体３０と、この掃除機本体３０に着脱可能に装着された伸縮可能な操作パイプ４０と、掃除機本体３０に設けられた操作ハンドル５０とを備えている。
【００１１】
吸込口体２１の後部には前後方向に回動可能な回転管２２が設けられており、この回転管２２は吸込口体２１の吸込室に連通されている。また、回転管２２の上部は後述する掃除機本体３０の下部の接続部３１に固定されている。
【００１２】
掃除機本体３０は、内部に形成された集塵室２５と、この集塵室２５を負圧にする電動送風機２６と、集塵室２５に着脱自在に装着された集塵フィルタ（紙パック）Ｆ等とを備えている。
【００１３】
また、掃除機本体３０の下部の後側（図１において右側）には、後方へ突出した接続部３１が一体形成され、接続部３１の上部には開口３１Ａが形成されている。掃除機本体３０の上部の側方には取付部材３２が取り付けられており、その上部の後部には取付凹部３３が形成されている。また、掃除機本体３０の上部には取手３８が一体的に設けられており、その上部の後部側には集塵ホース３５の一端（他端）が接続され、その集塵ホース３５の他端（一端）が操作パイプ４０の後端部（一端部）に接続されている。そして、集塵ホース３５は掃除機本体３０の集塵室に連通している。
【００１４】
操作パイプ４０は、後部（一端部）に設けた把手部４１と、この把手部４１の近傍に設けた接続体４２と、この接続体４２に設けられるとともに掃除機本体３０の取付凹部３３に係合される係合突出部４３（図６参照）とを有している。この操作パイプ４０の先端部（他端部）を掃除機本体３０の接続部３１の開口３１Ａに差し込むと、吸込口体２１の回転管２２に接続されるようになっている。そして、操作パイプ４０の係合突出部４３を掃除機本体３０の取付凹部３３に係合させると、接続体４２内に設けた図示しないロック機構により係合突出部４３がその取付凹部３３にロックされて、操作パイプ４０が掃除機本体３０に装着される。
【００１５】
また、操作パイプ４０は、大径パイプ４０Ａと、この大径パイプ４０Ａ内に挿入された小径パイプ４０Ｂとを有し、この小径パイプ４０Ｂが大径パイプ４０Ａ内を摺動移動することにより伸縮するものである。そして、接続体４２に設けたボタン４４を押すと、小径パイプ４０Ｂの摺動移動が可能となり、そのボタン４４の押圧を解除すると小径パイプ４０Ｂはその位置でロックされるようになっている。
【００１６】
係合突出部４３のロックの解除は掃除機本体３０の上部に設けた解除ボタン４６を押すことにより行われるようになっている。
【００１７】
操作ハンドル５０は、掃除機本体３０の取付部材３２に回動可能に取り付けられており、図１に示す収納位置と図２に示す使用位置に回動移動させることができるようになっている。そして、図２に示す使用位置へ回動移動させると、図示しないロック機構により操作ハンドル５０はその使用位置へ固定される。このロックの解除は解除ボタン５１を押すことにより行うことができる。
【００１８】
操作ハンドル５０の他端には把手部５２が設けられており、この把手部５２には電動送風機２６の電源スイッチ（操作スイッチ）Ｓ１が設けられている。
【００１９】
また、把手部５２は、掃除機本体３０の前後方向（掃除機本体３０を前後に移動させる方向）と直交方向に延びており、掃除機本体３０に装着された操作パイプ４０を収縮させた状態でのその操作パイプ４０の後端より上方に位置するように操作ハンドル５０の長さが設定されている。
［動  作］
次に、上記のように構成される電気掃除機２０の動作について説明する。
【００２０】
先ず、図４に示すように操作パイプ４０を伸長させるとともに、操作ハンドル５０を使用位置へ回移動させる。そして、電源スイッチＳ１をオンにすると、電動送風機２６が駆動されて集塵室２５の空気が電動送風機２６により吸引されていく。この吸引により集塵室２５が負圧となり、この負圧が集塵ホース３５,操作パイプ４０,回転管２２および吸込口体２１の吸込室に作用し、吸込室の吸込開口から空気とともに塵埃が吸引されていく。吸込室に吸引された空気および塵埃は回転管２２,操作パイプ４０および集塵ホース３５を介して掃除機本体３０の集塵室３１へ吸引されていき、塵埃が集塵フィルタＦに集塵されていく。なお、集塵方式は集塵フィルタＦのないサイクロン方式であってもよい。
【００２１】
電動送風機２６により吸引された空気は電動送風機２６のモータ内を通ってこのモータを冷却していく。モータを冷却した空気は電動室（図示せず）を介して掃除機本体３０に設けた図示しない排気孔から外へ排気されていく。
【００２２】
掃除を行う場合には、図４に示すように操作パイプ４０の把手部を持って掃除機本体３０を前後に移動させれば床面などの掃除が行える。
【００２３】
掃除機本体３０を片手で操作するのが重い場合には、図５に示すように操作ハンドル５０の把手部５２を他方の手で握ることにより、両手で掃除機本体３０を移動操作することができる。このため、その移動操作を軽く行うことができる。特に、掃除機本体３０をひねるようにして向きを変えるとき、把手部５２が掃除機本体３０の前後と直交する方向に延びていることにより、そのひねり操作は大変行い易くなる。
【００２４】
また、図６に示すように操作パイプ４０を掃除機本体３０から取り外して掃除を行う場合、操作ハンドル５０の把手部５２を他方の手で握ることにより、掃除機本体３０を床面から持ち上げなくてもその掃除機本体３０を転倒しないように支えることができる。すなわち、掃除機本体３０を床面に置いたまま、その掃除機本体３０を支えて操作パイプ４０の先端部を天井などの高い位置に当接させることができる。このため、パワーの大きい掃除機本体３０であっても天井などの高い箇所や階段の掃除が楽に行える。
【００２５】
さらに、電源スイッチＳ１が操作ハンドル５０の把手部５２に設けていることにより、集塵ホース３５に信号線を配索する必要がなく、このため集塵ホース３５が軽くなり、操作パイプ４０を持ち上げて天井などを掃除する際、その操作パイプ４０の操作がし易いものとなる。
【００２６】
掃除が終了したら、図１に示すように、操作パイプ４０を掃除機本体３０に装着させるとともに伸縮させ、操作ハンドル５０を収納位置へ回動移動させる。そして、掃除機本体３０の取手３８（図６参照）を持てば、取手３８が掃除機本体３０に一体的に設けられていることにより、その掃除機本体３０は持ち運び易く、このため電気掃除機２０の収納場所への持ち運びは楽に行えることになる。
【００２７】
上記実施例では、操作ハンドル５０を回動自在にしているが、伸縮自在にしてもよい。
【図面の簡単な説明】
【００２８】
【図１】この発明に係る電気掃除機の外観を示した斜視図である。
【図２】図１に示す掃除機本体の操作ハンドルを使用位置へ回動させた状態の電気掃除機を示した説明図である。
【図３】第２に示す電気掃除機を上方から見た鳥瞰図である。
【図４】図１に示す電気掃除機の使用状態を示した説明図である。
【図５】図４に示す電気掃除機の使用方法を示した説明図である。
【図６】図４に示す電気掃除機の他の使用方法を示した説明図である。
【符号の説明】
【００２９】
２０      電気掃除機
２１      吸込口体
２５      集塵室
３０      掃除機本体
３５      集塵ホース
４０      操作パイプ
４１      把手部
５０      操作ハンドル
５２      把手部
【図１】
2007130169.tif 000003
【図２】
2007130169.tif 000004
【図３】
2007130169.tif 000005
【図４】
2007130169.tif 000006
【図５】
2007130169.tif 000007
【図６】
2007130169.tif 000008